(57)【特許請求の範囲】
【請求項１】
単一顔料を用いて、可視光下では無色であり、紫外線を照射するとそれぞれが異なる蛍光色で発光する三種類の蛍光インキを作成し、前記蛍光インキを用いて展色又はベタ印刷し、前記展色又はベタ印刷した部分に紫外線を照射して前記蛍光インキのＲＧＢ値を算出し又は前記展色又はベタ印刷の分光輝度率からＸＹＺ三刺激値を算出して前記蛍光インキをＲＧＢ値に変換し、元となるフルカラー画像をＲＧＢ値に変換し、前記蛍光インキのＲＧＢ値を用いて元となるフルカラー画像の各画素のＲＧＢ値を満たす網点面積率を算出することを特徴とする蛍光フルカラー印刷のための分解データ作成方法。
【請求項２】
前記基となるフルカラー画像の各画素のＲＧＢ値を満たす網点面積率を算出し、前記算出した網点面積率に対してドットゲインの補正をかけて記録することを特徴とする請求項１記載の蛍光フルカラー印刷のための分解データ作成方法。
【請求項３】
請求項１記載の方法で作成された分解データを用い、印刷順序による補正をかけて記録し、前記記録したデータにより各分色版を作成し、前記三種類の蛍光インキを用いて前記各分色版により印刷することを特徴とする蛍光フルカラー印刷物。
【発明の詳細な説明】
【０００１】
【発明に属する技術分野】
本発明は、蛍光インキの蛍光色のみを用いて、フルカラー画像を形成する場合の、色分解方法とその印刷物に関するものである。
【０００２】
【従来の技術】
蛍光インキを用いてカラー画像を印刷する方法として、「特開平４−１１９８７５」のような方法が提唱されていたが、蛍光顔料をいくつか混ぜ合わせて、蛍光インキの蛍光色を理想的なＲＧＢに近づける方法は、蛍光インキ自体の蛍光色が加法混色により白っぽくなるため、それらの蛍光インキで印刷した場合、印刷物自体の彩度が下がるという問題があった。
【０００３】
また、前記特許では、黒の発色が難しいため墨地に印刷された場合にのみ有効であった。そこで、黒として紫外線吸収剤入りのインキを印刷することで、白紙でもカラー画像の印刷を行える方法もあるが、蛍光インキは蛍光顔料の発光特性により、理想的なＲＧＢ蛍光色ではないために、印刷物の色が元になる画像の色と一致しないという問題があった。
【０００４】
【発明が解決しようとする課題】
本発明は、単一顔料で作製した蛍光インキを用い、元となる画像に近い色味で、蛍光カラー画像を印刷することを目的とする。
【０００５】
【課題を解決するための手段】
本発明は、可視光下では無色であり、紫外線を照射するとそれぞれが異なる蛍光色で発光する三種類の蛍光インキを用い、フルカラー画像データから、前記蛍光インキの蛍光色で色分解を行い、分解データを作成する分解データ作成方法である。
【０００６】
本発明は、前記分解データ作成方法により作成された分解データを用いて印刷した印刷物である。
【０００９】
【発明の実施の形態】
すべての色は、加法混色の原色(R,G,B)で表現できるので、理想的な加法混色の原色以外で発光する蛍光インキの蛍光色を、蛍光特色T(r,g,b)の様にして、レッド成分、グリーン成分、ブルー成分で表現する。
【００１０】
ある蛍光インキの蛍光色が
T(r,g,b)                                    ・・・（１）
で表現できる場合、印刷するときの網点面積率をaとすると、その蛍光インキは
、    Ta(a×r,a×g,a×b)  (0≦a≦1)               ・・・（２）
といった階調表現が可能である。
【００１１】
蛍光インキのＲＧＢの値を求める方法としては、「ＪＩＳ  Ｚ８７１７」に記載されている、ＸＹＺの三刺激値を求める方法から得られるＸＹＺから、ＲＧＢ値を算出する方法などがある。
【００１２】
３種類の蛍光インキの重ね刷りは加法混色であるので、それぞれの蛍光インキの蛍光色を
T1(r1,g1,b1) T2(r2,g2,b2) T3(r3,g3,b3)      ・・・（３）
とし、それぞれの蛍光インキの分色版の網点面積率をそれぞれa,b,cとすると、重ね刷りした場合、
0003680908.tif 000002
といった印刷による階調表現が可能である。
【００１３】
３種類の蛍光インキで印刷を行う場合、元となるフルカラー画像を、ＲＧＢ画像に変換したときの、ある一画素が
Tsrc（Rsrc, Gsrc, Bsrc)                     ・・・（５）
のとき、三種類の蛍光インキ
T1(r1,g1,b1)，T2(r2,g2,b2)，T3(r3,g3,b3)
で印刷する場合、ある一画素の各ＲＧＢの値は以下の式になる。
Rsrc = a×r1+b×r2+c×r3                   ・・・（６．１）
Gsrc = a×g1+b×g2+c×g3                   ・・・（６．２）
Bsrc = a×b1+b×b2+c×b3                   ・・・（６．３）
以上の三式を満たす網点面積率a,b,cを求め、網点面積率は０から１まで（０％から１００％まで）の値しかとれないため、a,b,cの値が０以上１以下の場合はその値を採用し、０未満（０％未満）の場合は０とし、１より大きい（１００％より大きい）場合は１とし、a,b,cをその画素の網点面積率とする。そして網点面積率の値を各々の蛍光インキの分解データに記録する。これら一連の作業をすべての画素について行うことにより、元となる画像全体について、各々の蛍光インキの網点面積率を求め、分解データとする。
【００１４】
階調曲線については、通常印刷のドットゲイン補正の考え方を利用し分解データに補正を加える。また、印刷順序により、先に印刷される蛍光インキの発光が弱くなるので、網点の重なり具合により分解データに補正を加える。
【００１５】
以上の様にして得られた、各蛍光インキの各画素毎の網点面積率からなる分解データをもとに、印刷を行う。
【００１６】
この方法を用いることにより蛍光増白剤を含まない用紙を印刷用紙として用いれば、３色の蛍光インキだけの印刷でも、蛍光インキが印刷されていない部分は、暗所であれば黒として表現できる。
【００１７】
また、３種類の蛍光インキの印刷後、紫外線を吸収するインキを用いてシャドウ部の印刷を行うことで、原画の黒を強調した印刷物を得ることもできる。
【００１８】
前記方法は各版を画像データとして保有しているので、この方法を用いると、画像データから版面を作製でき、かつ階調表現が可能な、すべての印刷方法で印刷可能となる。
【００１９】
【実施例】
以下、実施例を用いて説明する。使用する顔料は、波長365nmもしくは254nmの紫外線を照射することにより発光する顔料として、Y2O3:Eu、YVO4:Eu、Zn2SiO4、MgAl11O19:Ce、SrP2O7:Sn、Sr4Al14O25:Eu等があり、赤から紫まで幅広い蛍光色の蛍光顔料を使用することができる。また、有機蛍光顔料は耐光性は劣るが、発光強度が非常に強いものも多く、インキ化もしやすいなど本発明に適するものが多い。前記顔料にバインダを加えインキ化する。
【００２０】
紫外線吸収剤を印刷する場合は、紫外線吸収剤としてベンゾトリアゾール系、ベンゾフェノン系、シュウ酸アニリド系、TiO2等にバインダを加えインキ化したものを用意する。
【００２１】
（実施例１）
次に図１に示すように、S1で蛍光インキを作製しＲＧＢ値を求める。ＲＧＢ値の求め方として、S1で作製した蛍光インキをS2で印刷用紙に展色するか又はベタ印刷したものに紫外線を照射し、S3で色校正されたモニタで蛍光インキの蛍光色をシミュレートし、目視にて等色となるときのＲＧＢ値をその蛍光インキのＲＧＢ値とするか、又は、蛍光インキの分光放射輝度率からＸＹＺ三刺激値を求め、ＲＧＢに変換する。
【００２２】
次に色分解方法として、S4で元となるフルカラー画像をＲＧＢ画像に変換し、S5でＲＧＢ画像の各画素について、前記連立方程式（６．１）（６．２）（６．３）のすべてを満たす網点面積率a,b,cを、連立方程式の解法や逆行列を利用して求める。a,b,cの値が０以上１以下の場合は、それぞれを各蛍光インキ用分解データとして記録する。a,b,cの値の中に０未満（０％未満）のものがあれば、その値を０とし、１より大きい（１００％より大きい）ものがあれば、その値を１とし、それぞれを各蛍光インキの分解データとして記録する。この作業を全ての画素について行い、S6ですべての分解データを得る。
【００２３】
必要であれば、S5で得られた分解データに対しドットゲインや印刷順序による補正をかけ、S6で分解データを記録する。そしてS6で記録された分解データを元にS7で各々の蛍光インキ用の版面を作成し、S10で印刷を行う。
【００２４】
（実施例２）
前記実施例１に示した方法において、原画の黒を強調したい場合は、S8で元となる画像に対し下色除去を行い、墨版データを抽出し、S9でその版面を作製する。実施例１で印刷された印刷物に紫外線吸収剤をインキ化したものをS9で作製した版面で加刷する。下色除去は、Adobe社製のソフトウエアPhotoshopなどにより実現できる。
【００２５】
【発明の効果】
本発明を用いることにより、蛍光増白剤をあまり含まない無色に近い用紙に、蛍光インキで、原稿の色味に合ったフルカラー印刷ができる。また、蛍光顔料の向上により、より輝度の高いものや、より耐光性の良いものが得られるようになった場合でも、その蛍光顔料の蛍光色に応じて分解データを作成できる。そのため、蛍光インキの色味を加法混色の原色合わせるため、２種類以上の蛍光顔料の配合を考えるなどの必要が無く、容易にフルカラー蛍光印刷物を作製できる。
【図面の簡単な説明】
【図１】蛍光特色分解により蛍光フルカラー印刷物を作製する流れ図
【図１】
0003680908.tif 000003